(57)【特許請求の範囲】
【請求項１】
金属製のバックプレートにパッド部が接合されているブレーキパッドにおける、パッド部の接合面を除くバックプレートの外面と、パッド部の摩擦面を除く外周側面とを、静電式塗装ガンから吐出された粉体塗料により塗装するブレーキパッドの粉体塗装方法において、塗装ブース内に、ブレーキパッドのパッド部を下に向けて載置する載置面を設け、この載置面に載置したブレーキパッドの側方位置に、パッド部の側面に対して空間を空けて堰止め部を設け、前記載置面の上方に静電式塗装ガンを設置し、静電式塗装ガンから吐出される粉体塗料を、ブレーキパッドと堰止め部との間に形成される空間内に流入させ、この空間内に流入した粉体塗料をバックプレート及びパッド部に付着させ、前記塗装ブース内を通過する搬送コンベアのベルト面に凹所を形成し、この凹所の底面を前記載置面とし、凹所の対向壁を前記堰止め部とすることを特徴とするブレーキパッドの粉体塗装方法。
【請求項２】
金属製のバックプレートにパッド部が接合されているブレーキパッドにおける、パッド部の接合面を除くバックプレートの外面と、パッド部の摩擦面を除く外周側面とを、静電式塗装ガンから吐出された粉体塗料により塗装するブレーキパッドの粉体塗装方法において、塗装ブース内に、ブレーキパッドのパッド部を下に向けて載置する載置面を設け、この載置面に載置したブレーキパッドの側方位置に、パッド部の側面に対して空間を空けて堰止め部を設け、前記載置面の上方に静電式塗装ガンを設置し、静電式塗装ガンから吐出される粉体塗料を、ブレーキパッドと堰止め部との間に形成される空間内に流入させ、この空間内に流入した粉体塗料をバックプレート及びパッド部に付着させ、前記塗装ブース内を通過する搬送コンベアを備え、この搬送コンベアのベルト面を前記載置面とし、この載置面の側方の搬送コンベアのベルト面に、前記堰止め部を形成する凸部を設けたことを特徴とするブレーキパッドの粉体塗装方法。
【請求項３】
金属製のバックプレートにパッド部が接合されているブレーキパッドにおける、パッド部の接合面を除くバックプレートの外面と、パッド部の摩擦面を除く外周側面とを、静電式塗装ガンから吐出された粉体塗料により塗装するブレーキパッドの粉体塗装方法において、塗装ブース内に、ブレーキパッドのパッド部を下に向けて載置する載置面を設け、この載置面に載置したブレーキパッドの側方位置に、パッド部の側面に対して空間を空けて堰止め部を設け、前記載置面の上方に静電式塗装ガンを設置し、静電式塗装ガンから吐出される粉体塗料を、ブレーキパッドと堰止め部との間に形成される空間内に流入させ、この空間内に流入した粉体塗料をバックプレート及びパッド部に付着させ、前記塗装ブース内を通過する搬送台車を備え、この搬送台車の台車面を前記載置面とし、この載置面の側方の搬送台車の台車面に、前記堰止め部を形成する凸部を設けたことを特徴とするブレーキパッドの粉体塗装方法。
【請求項４】
前記パッド部が、絶縁性材料からなる請求項１〜３のいずれかに記載のブレーキパッドの粉体塗装方法。
【請求項５】
前記静電式塗装ガンを、載置面に載置したブレーキパッドの上方に対向するように設置し、静電式塗装ガンの吐出パターンがブレーキパッドに直接当たらないようにした請求項１〜４のいずれかに記載のブレーキパッドの粉体塗装方法。
【請求項６】
前記静電式塗装ガンが、摩擦帯電式塗装ガンである請求項１〜５のいずれかに記載のブレーキパッドの粉体塗装方法。
【請求項７】
前記ブレーキパッドに粉体塗料を付着させる前に、ブレーキパッドの少なくともパッド部に、水を噴霧又は浸漬しておくことを特徴とする請求項１〜６のいずれかに記載のブレーキパッドの粉体塗装方法。
【発明の詳細な説明】
【技術分野】
【０００１】
この発明は、金属製のバックプレート（裏金）に、摩擦部材であるパッド部を接着したブレーキパッドを、粉体塗料により塗装する方法に関するものである。
【背景技術】
【０００２】
粉体塗装は、有機溶剤を含まず、被塗装物に付着しなかったオーバースプレー粉を回収して再使用することができるので、環境にやさしい塗装として、近年多くの製品に採用されている。
【０００３】
当初はガードレール、フェンスなどの道路資材から始まり、冷蔵庫、エアコンの室外機等、家庭内で使用する製品にも多く採用されている。
【０００４】
最近は、自動車のボディーの他、ワイパー、コイルスプリング等の自動車部品の塗装にも粉体塗装が使用され、ブレーキパッドの塗装にも粉体塗装が使用されるようになっている（特許文献１）。
【先行技術文献】
【特許文献】
【０００５】
【特許文献１】特開２００７−１２５５２２号公報
【発明の開示】
【発明が解決しようとする課題】
【０００６】
ブレーキパッドは、金属製のバックプレート（裏金）に、摩擦部材であるパッド部を接着したものであるが、防錆、防食の観点から、従来は、金属製のバックプレートの外面だけを塗装することが多い。
【０００７】
ところが、ブレーキパッドは、アルミホイールの隙間から見える部品であるため、最近では、意匠性の観点から、バックプレートだけではなく、バックプレートに接着されたパッド部の外面も、摩擦面を除いて塗装されるようになっている。
【０００８】
ところで、摩擦部材であるパッド部は、基材繊維、充填材、摩擦調整剤、樹脂結合剤等の成形材料を押し固めて形成されている。
【０００９】
パッド部の基材繊維には、アラミド繊維、レーヨン繊維、ナイロン繊維、トリアセテート繊維などの有機繊維、チタン酸カリウム繊維、ロックウール繊維、あるいはスチール繊維、ステンレス繊維などの金属繊維を、単独又は複数を組み合わせて使用している。
【００１０】
また、充填材としては、例えば、硫酸バリュウム、炭酸マグネシュウム、硫酸鉛のアルカリ土類金属の硫酸塩や、シリカ、マイカ、炭酸塩、タルク、グラファイト、二硫化モリブデンの固体潤滑剤、タイヤゴム粉末などの有機粉粒体、銅合金、アルミニュウム、亜鉛などの金属粉や、金属片、黒鉛粉などの無機粉粒体の摩擦調整剤が使用されている。
【００１１】
また、樹脂結合剤としては、フェノール系樹脂、ポリイミド系樹脂、メラミン系樹脂などが使用されている。
【００１２】
ところで、ブレーキパッドのパッド部は、摩耗部品であるため、パッド部の材料中に金属材料が含まれていると、金属粉の飛散が環境ホルモンの問題となるため、パッド部の成形材料から金属材料が徐々に除かれ、パッド部が絶縁性になりつつある。
【００１３】
パッド部の成形材料中に金属材料を含んでいる場合には、パッド部も導電性を有するため、バックプレートと一緒にパッド部をアースすることにより、バックプレートとパッド部を、静電粉体塗装することが可能である。
【００１４】
しかしながら、パッド部が絶縁性になってくると、静電気による粉体塗料の付着力が弱く、静電式塗装ガンから粉体塗料を吹き付けた場合に、粉体塗料が一旦パッド部に付着しても、パッド部に付着した粉体塗料が静電式塗装ガンの吐出エアーによって吹き飛ばされてしまう。
【００１５】
特に、摩擦帯電式塗装ガンの場合には、強い搬送エアーによって摩擦帯電を行うために、粉体塗料と共に吐出されるエアーも強く、この吐出エアーによりパッド部に付着した粉体塗料が吹き飛ばされ易い。
【００１６】
また、ブレーキパッドの塗装を行う場合、塗装する面は、パッド部の接合面を除いたバックプレートの外面と、摩擦面を除いたパッド部の外周側面であるから、通常、塗装を行わないパッド部の摩擦面を下にしてブレーキパッドを搬送ベルトや台車に載置して塗装ブースを通過させている。
【００１７】
ところが、バックプレートとパッド部の大きさを比較した場合、バックプレートの方がパッド部よりも一回り大きいため、パッド部を下にして搬送ベルトや台車に載置した場合、パッド部の外周側面がバックプレートの外周側面よりも内側に凹んだ状態になる。
【００１８】
この状態で、ブレーキパッドに向けて静電式塗装ガンから粉体塗料を吹き付けた場合、粉体塗料のほとんどがパッド部の上方に位置する金属製のバックプレートに集中し、下方に位置するパッド部の外周側面へは粉体塗料が回り込み難い。
【００１９】
このため、パッド部の外周側面に向かって粉体塗料を直接吹き付けるようにすると、パッド部はバックプレートの内側に凹んでいるため、この凹みによって吹き付けられた粉体塗料の流速がさらに加速され、却って粉体塗料が吹き飛ばされてパッド部の外周側面に付着する粉体塗料の量が少なくなる。
【００２０】
特に、パッド部が絶縁性の場合には、静電気力による付着力も弱いので、パッド部の外周側面に粉体塗料を十分に付着させることが困難であった。
【００２１】
そこで、この発明は、パッド部が絶縁性の場合でも、パッド部の外周側面に粉体塗料を十分に付着させることができる、ブレーキパッドの塗装方法を提供しようとするものである。
【課題を解決するための手段】
【００２２】
前記の課題を解決するために、この発明は、金属製のバックプレートにパッド部が接合されているブレーキパッドにおける、パッド部の接合面を除くバックプレートの外面と、パッド部の摩擦面を除く外周側面とを、静電式塗装ガンから吐出された粉体塗料により塗装するブレーキパッドの粉体塗装方法において、塗装ブース内に、ブレーキパッドのパッド部を下に向けて載置する載置面を設け、この載置面に載置したブレーキパッドの側方位置に、パッド部の側面に対して空間を空けて堰止め部を設け、前記載置面の上方に静電式塗装ガンを設置し、静電式塗装ガンから吐出される粉体塗料を、ブレーキパッドと堰止め部との間に形成される空間内に流入させ、この空間内に流入した粉体塗料をバックプレート及びパッド部に付着させるようにしたものである。
【００２３】
塗装ブース内を通過する搬送コンベアにブレーキパッドを載置して塗装を行う場合、搬送コンベアのベルト面に凹所を形成し、この凹所の底面を前記載置面とし、凹所の対向壁を前記堰止め部として塗装を行うことができる。
【００２４】
また、搬送コンベアのベルト面を前記載置面とし、この載置面の側方の搬送コンベアのベルト面に、前記堰止め部を形成する凸部を設けてもよい。
【００２５】
また、塗装ブース内を通過する搬送台車にブレーキパッドを載置して塗装を行う場合、搬送台車の台車面を前記載置面とし、この載置面の側方の搬送台車の台車面に、前記堰止め部を形成する凸部を設けるようにしてもよい。
【００２６】
前記パッド部は、導電性でも、絶縁性でもよい。
【００２７】
前記静電式塗装ガンは、載置面に載置したブレーキパッドの上方に対向するように設置し、静電式塗装ガンの吐出パターンがブレーキパッドに直接当たらないようにしることが望ましい。
【００２８】
前記静電式塗装ガンとしては、摩擦帯電式塗装ガン、コロナガンを使用することができる。
【００２９】
前記ブレーキパッドに粉体塗料を付着させる前に、ブレーキパッドの少なくともパッド部に、水を噴霧又は浸漬しておくことが望ましい。
【発明の効果】
【００３０】
この発明によれば、上記のように、静電式塗装ガンから吐出される粉体塗料を、ブレーキパッドと堰止め部との間に形成される空間内に流入させ、この空間内に流入した粉体塗料をバックプレート及びパッド部に付着させるので、パッド部が絶縁性の場合も、粉体塗料を安定的に付着させることが可能となる。
【図面の簡単な説明】
【００３１】
【図１】この発明の粉体塗装方法の被塗装物であるブレーキパッドをバックプレート側から見た斜視図である。
【図２】この発明の粉体塗装方法の被塗装物であるブレーキパッドをパッド部側から見た斜視図である。
【図３】この発明の粉体塗装方法の被塗装物であるブレーキパッドをバックプレート側から平面図である。
【図４】この発明の粉体塗装方法の被塗装物であるブレーキパッドをパッド部側から平面図である。
【図５】この発明の塗装方法の塗装ラインを示す概略図である。
【図６】この発明の第１の実施形態を示す部分斜視図である。
【図７】この発明の第１の実施形態を示す部分側面図である。
【図８】この発明の第２の実施形態を示す部分側面図である。
【図９】この発明の第３の実施形態を示す側面図である。
【図１０】この発明の第４の実施形態を示す側面図である。
【図１１】この発明の第５の実施形態を示す側面図である。
【図１２】粉体塗料を吹き付ける前に、ブレーキパッドの側面に霧状の水滴を噴霧する方法を示す概略平面図である。
【発明を実施するための形態】
【００３２】
以下、この発明の実施の形態を添付図面に基づいて説明する。
この発明に係る粉体塗装方法の被塗装物であるブレーキパッド１は、図１乃至図４に示すように、金属製のバックプレート２に摩擦部材であるパッド部３を接合したものである。
【００３３】
被塗装物であるブレーキパッド１の塗装面は、パッド部３の接合面を除く金属製のバックプレート２の外面と、パッド部３の摩擦面を除いた外周側面である。
【００３４】
図５は、ブレーキパッド１の塗装ラインを示しており、ブレーキパッド１は、塗装ブース４内で塗装した後、移載コンベア５によって焼付け乾燥炉に導かれる。
【００３５】
塗装ブース４には、搬送コンベア６が設置され、搬送コンベア６の上方に静電式塗装ガン７が設置されている。
【００３６】
塗装ブース４の底面には、オーバースプレー粉を回収する回収ダクト８が設置されている。搬送コンベア６の塗装ブース４の出口側の下面には、搬送コンベア６に付着したオーバースプレー粉を清掃するエアーブロー装置９が設置されている。
【００３７】
この発明の第１の実施形態では、図６及び図７に示すように、塗装ブース４を通過する搬送コンベア６のベルト面に、塗装を行わないパッド部３の摩擦面が下に、金属製のバックプレート２が上になるように載置して塗装を行っている。
【００３８】
そして、第１の実施形態では、搬送コンベア６のベルト面に、搬送コンベア６の走行方向に沿って凹所を形成し、この凹所の底面を、ブレーキパッド１を載置する載置面にしている。
【００３９】
凹所の幅は、ブレーキパッド１を凹所１０の底面に載置した状態で、ブレーキパッド１の外側面と凹所１０の対向壁１２との間に、上方から粉体塗料１１が流入するように、ブレーキパッド１の外側面の幅よりも広く形成し、凹所１０の対向壁１２を、凹所１０内に流入した粉体塗料１１が凹所１０から流れ出ないようにする堰止め部として機能させている。
【００４０】
第１の実施形態では、静電式塗装ガン７として摩擦帯電式塗装ガンを使用し、複数本の吐出チューブ１４を、搬送コンベア６のベルト面の凹所１０の上方位置で対向するように設置している。摩擦帯電式塗装ガンは、搬送エアーによって摩擦帯電させるために、吐出チューブ１４から粉体塗料１１と共に搬送エアーが勢いよく吐出される。第１の実施形態のように、吐出チューブを対向するように設置すると、搬送コンベア６のベルト面の凹所１０の上方位置で、吐出された粉体塗料１１が互いにぶつかり合って搬送エアーの勢いが弱められ、粉体塗料１１が均一に分散して、霧化状態でベルト面の凹所１０に流入し、凹所１０の対向壁１２が堰止め部となり、ベルトに形成した凹所１０内に霧化状態の粉体塗料１１が充満する。
【００４１】
凹所１０内に充満する霧化状態の粉体塗料１１は、搬送エアーによる吹き飛ばしもなく、金属製のバックプレート２の外表面と、パッド部３の外周側面に付着する。パッド部３が絶縁性の材料で形成されていても、搬送エアーによる粉体塗料１１の吹き飛ばしがないため、十分な膜厚で粉体塗料１１が付着する。
【００４２】
図１〜図４に示すブレーキパッド１は、４輪用のものであり、塗装面の規格基準膜厚は、図１〜図４のＡ（Ａ１、Ａ２）のバックプレート２の外表面で１５〜４０μｍ、Ｂ（Ｂ１〜Ｂ４）のパッド部３の外周側面で１５〜４０μｍ、Ｃ（Ｃ１、Ｃ２）のバックプレート２の外周側面で１０〜４０μｍである。
【００４３】
図６及び図７に示す実施形態において、コンベアスピードを３．５ｍ／ｍｉｎ、吐出量５５ｇ／ｍｉｎで塗装を行ったところ、パッド部３の材質が導電性の場合（試料Ｎｏ．１〜５）も、絶縁性の場合（試料Ｎｏ．６〜１０）も、表１に示す通り、何れの測定点においても規格基準膜厚を十分に満足していた。表１中に示す膜厚は、４個のブレーキパッド１を測定した平均膜厚であり、その単位はμｍである。なお、測定点Ａ１、Ａ２、Ｂ１〜Ｂ４、Ｃ１、Ｃ２は、図１〜図４に黒丸で示している。
試料Ｎｏ．６〜１０のパッド部の絶縁抵抗値は１０１１Ωである。
【００４４】
【表１】
0005936436.tif 000002
【００４５】
次に、図８は、この発明の第２の実施形態を示している。
第１の実施形態では、搬送コンベア６のベルト面に凹所１０を設け、この凹所１０内にブレーキパッド１を載置し、凹所１０内に搬送エアーの勢いを弱めた粉体塗料１１を流入させ、ブレーキパッド１に粉体塗料１１を付着させるようにしたが、第２の実施形態では、搬送コンベア６のベルト面は、平坦面に形成し、この平坦面に向けて静電式塗装ガン７から粉体塗料１１を吹き付け、ベルト面で跳ね返った粉体塗料１１をブレーキパッド１に付着させるようにしている。
【００４６】
そして、この第２の実施形態では、ベルト面で跳ね返った粉体塗料１１がブレーキパッド１の側方へ流れ出さないように、ブレーキパッド１の載置面のベルト面に、堰止め部を形成する凸部１５を設けている。
【００４７】
この第２の実施形態では、静電式塗装ガン７として、コロナガンを使用している。コロナガンは、２ガンが対向するように、搬送コンベア６の搬送方向に千鳥状に複数組設置している。
【００４８】
次に、図９は、この発明の第３の実施形態を示している。
この第３の実施形態は、被塗装物であるブレーキパッド１を搬送台車１６に載置して、塗装ブース１内を通過させるようにしている。
【００４９】
搬送台車１６のブレーキパッド１の載置面には、加熱成形された物温が１２０〜１３０℃のブレーキパッド１を塗装ブース１内に直接搬入できるように、常温から１５０℃までの耐熱性を有する樹脂製の載置板１７が設置されている。載置板１７を形成する樹脂としては、例えば、ポリエーテルエーテルケトンを使用することができる。
【００５０】
ブレーキパッド１を載置した載置板１７の上面には、さらに、ブレーキパッド１の側方には、それぞれ所定の隙間を空けて２枚の仕切り板１８、１９が上下に積層設置されている。
【００５１】
２枚の仕切り板１８、１９の厚みは、載置板１７に載置したブレーキパッド１の少なくともパッド部３が、仕切り板１８、１９の厚み内に収まるようにしている。
【００５２】
仕切り板１８、１９の材質は、載置板１７と同じ樹脂によって形成することができる。
【００５３】
載置板１７の上面に設置した仕切り板１８、１９の端面２０、２１は、ブレーキパッド１の側方で対向し、この対向する端面２０、２１が、端面２０、２１間に流入する粉体塗料１１の堰止め部として機能する。
【００５４】
上記仕切り板１８、１９の左右の長さを変更することにより、対向する端面２０、２１間の距離を、ブレーキパッド１の大きさに合せて変えることができる。
【００５５】
上記搬送台車１６の載置板１７との接着、載置板１７と仕切り板１８、１９との接着には、例えば、両面テープを使用することができる。
【００５６】
この第３の実施形態では、静電式塗装ガン７として対向する２本の摩擦帯電式塗装ガンを使用している。
【００５７】
摩擦帯電式塗装ガンは、粉体塗料と共に搬送エアーも勢いよく吐出するため、粉体塗料１１が勢いよくブレーキパッド１に当たらないように、摩擦帯電式塗装ガンの吐出口には、反射板２２を設置している。反射板２２で反射して、搬送エアーの勢いが弱められた粉体塗料１１は、対向する仕切り板１８、１９の間の空間に流入し、ブレーキパッド１に付着する。
【００５８】
図９に示す第３の実施形態では、オーバースプレー粉の飛散防止と塗着効率を向上させるために、塗装ブース１の内部に、インナーブース２３を設置している。インナーブース２３内のオーバースプレー粉は、下面の回収ダクト２４によって回収され、再利用される。
【００５９】
図９に示す第３の実施形態で使用する載置板１７、仕切り板１８、１９の材質は、耐熱性の絶縁樹脂であるポリエーテルエーテルケトンを使用したが、塩化ビニル、ナイロン、４弗化エチレンを使用することもできる。
【００６０】
次に、図１０の第４の実施形態は、図９に示す第３の実施形態の仕切り板１９を外側にずらすことによって、対向する仕切り板１８、１９の間の空間に、粉体塗料１１を流入し易くしたものである。
【００６１】
また、図１１の第５の実施形態は、図９に示す第３の実施形態の仕切り板１８の端面２０を傾斜させることにより、対向する仕切り板１８、１９の間の空間に流入した粉体塗料１１の漏れ出しを少なくしたものである。
【００６２】
ところで、パッド部３の成形の際には、ブレーキパッド１の物温は、１５０℃位になっているが、塗装時のブレーキパッド１の物温は、成形工程から塗装工程までの距離や時間によって、変化する。
【００６３】
この発明の塗装方法によると、パッド部３が、導電性の場合も、絶縁性の場合も、十分な膜厚で粉体塗料１１を付着させることができるが、絶縁性のパッド部３の場合、粉体塗料１１の付着効率をさらに良好にするために、静電式塗装ガン７からブレーキパッド１に粉体塗料１１を吹き付ける前に、絶縁性のパッド部３の表面に、水分を付着させて導電性を付与してもよい。水分の付着方法は、図１２に示すように、絶縁性のパッド部３の側面に霧状の水滴を発生させるノズル２５を設置し、このノズル１３から３０〜１００μｍの水滴を噴霧する方法の他、絶縁性のパッド部３を水中に浸漬する方法を採用することができる。
【符号の説明】
【００６４】
１  ブレーキパッド
２  バックプレート
３  パッド部
４  塗装ブース
５  移載コンベア
６  搬送コンベア
７  静電式塗装ガン
８  回収ダクト
９  エアーブロー装置
１０  凹所
１１  粉体塗料
１２  対向壁
１３  ノズル
１４  吐出チューブ
１５  凸部
１６  搬送台車
１７  載置板
１８、１９  仕切り板
２０、２１  端面
２２  反射板
２３  インナーブース
２４  回収ダクト
【図１】
0005936436.tif 000003
【図２】
0005936436.tif 000004
【図３】
0005936436.tif 000005
【図４】
0005936436.tif 000006
【図５】
0005936436.tif 000007
【図６】
0005936436.tif 000008
【図７】
0005936436.tif 000009
【図８】
0005936436.tif 000010
【図９】
0005936436.tif 000011
【図１０】
0005936436.tif 000012
【図１１】
0005936436.tif 000013
【図１２】
0005936436.tif 000014